(57)【要約】【課題】ストーマ袋を体に装着した状態でも、排泄時の排泄音を軽減し、かつ容易に装着及び脱着することができる機能を兼ね備えたストーマ袋用カバーを提供すること。【解決手段】ストーマ袋用カバーが、主生地層と遮音層が設けられた生地により構成されており、ストーマ袋用カバーの第１の面（正面）に設けられた開口が、ストーマ袋用カバー側面の少なくとも一方側に至るまで延長し、当該ストーマ袋用カバー側面が、延長された開口と接する部分から一部開閉自在であることからなる。【選択図】図２
0003173024.tif 000002
【実用新案登録請求の範囲】
【請求項１】
主生地層と遮音層が設けられた生地により構成されており、
ストーマ袋用カバーの第１の面（正面）に設けられた開口が、ストーマ袋用カバー側面の少なくとも一方側に至るまで延長し、当該ストーマ袋用カバー側面が、延長された開口と接する部分から一部開閉自在であることからなるストーマ袋用カバー。
【請求項２】
前記生地の遮音性能が、周波数１０００Ｈｚで透過損失４ｄｂ以上であることを特徴とする請求項１に記載のストーマ袋用カバー。
【請求項３】
前記一部が、５ｃｍ以内であることを特徴とする請求項１に記載のストーマ袋用カバー。
【請求項４】
前記生地の厚さが、１ｍｍ以下、であることを特徴とする請求項１に記載のストーマ袋用カバー。
【請求項５】
前記生地の厚さが、０．５ｍｍであることを特徴とする請求項１に記載のストーマ袋用カバー。
【請求項６】
前記主生地層がポリエステルであり、遮音層がアクリル樹脂層であることを特徴とする請求項１に記載のストーマ袋用カバー。
【請求項７】
前記生地が、カーテン生地であることを特徴とする請求項１に記載のストーマ袋用カバー。
【請求項８】
ストーマ袋用カバーの第２の面に、ジッパー又は面ファスナーによる開閉可能部が設けられていることを特徴とする請求項１に記載のストーマ袋用カバー。
【考案の詳細な説明】
【技術分野】
【０００１】
本考案は、ストーマ袋に設けられるカバーに関する。具体的には、遮音効果のあるストーマ袋用カバーに関する。
【背景技術】
【０００２】
ストーマは、消化管や尿路の疾患などにより腹部に便を排泄するために増設された排泄口のことであり、排泄物は合成樹脂で構成されるストーマ袋に溜められる。このストーマ袋は、袋と面板から構成されている。袋の入口側の孔部が面板の一方の面に固定され、この面板には接着性のある皮膚保護剤が塗布され、ストーマ周囲に接着することで、ストーマ袋が腹部に固定保持される。
【０００３】
袋の下部には開口部が備わっており、溜まった排泄物を排出又は開口部からガスを抜くことができるものと、開口部を備えず使い捨てできるものがある。このような袋及び面板とからなるストーマ袋には、袋と面板とが一体的に固着されたワンピース型と、袋が面板に対し着脱交換可能なツーピース型の２種類が存在している。
【０００４】
そして、ストーマ袋のうち、面板と逆側の面、言い換えれば装着した時に他人から見える側の面（この面をストーマ袋の正面とする。）は、透明又は半透明となっている。ストーマ袋はストーマにしっかりと装着されなければならないが、体に取り付ける際に正面側からストーマ及びストーマ袋のストーマ装着部をよく見えるようにしておく必要があるからである。
【０００５】
一方、ストーマ袋の正面が透明又は半透明である結果、排泄物が溜まった状態では外観を悪化させ、使用者の精神安定上好ましくない。またストーマ袋の付け心地についても向上の余地がある。そこで、ストーマ袋に装着されるカバーが使用される場合がある（例えば特許文献１参照）。そして、出願人は、容易に装着及び脱着することができるストーマ袋用カバーを考案し開示している（特許文献２）。
【０００６】
このように、従来技術においては、ストーマ袋やそのカバーにおいて外観を向上させ、又薄さや取り扱い等の点で改善されたものが存在する。
【０００７】
しかしながら、ストーマの使用者にとって、未だ殆ど着目されおらず改善されていない大きな問題がある。それは、排泄物（便）やガスの排出音の問題である。
この問題は、ストーマ自体には「溜める」という機能がないことから起こるものである。すなわち、ストーマ使用者は排泄物やガスの排出を「自分の意志」でコントロールすることができず、蠕動運動で送られてきた便やガスは、意志とはまったく無関係に、たえずストーマ（排泄口）から出てきてしまうのである。したがって、「いつ」排泄されるのかわからず、そのコントロールもできないのである。
すなわち、排泄物やガスの排出について、排出の時間も場所も選ぶことができないため、例え人前でも自動的に排出が行われてしまう。したがって、排泄物やガスの排出音のコントロールが出来ずそのまま漏れてしまう。特に、ガスと排泄物が一緒に出てしまう時には、音がかなり大きく出てしまう。このような状況は使用者にとって大変な精神的苦痛となっている。にもかかわらず、この問題に対応した製品が存在しない現状では、排泄音が漏れないように服の上からストーマ袋を手で押さえたり、何枚も厚着をするなど、個々の努力で対応しているのが実情である。
【先行技術文献】
【特許文献】
【０００８】
【特許文献１】特開２００９−２５４７１９号公報
【特許文献２】実用新案登録第３１５７３３８号
【考案の概要】
【考案が解決しようとする課題】
【０００９】
そこで、本考案の目的は、ストーマ袋を体に装着した状態でも、排泄物やガスの排出音を軽減し、かつ容易に装着及び脱着することができる機能を兼ね備えたストーマ袋用カバーを提供することを目的とする。
【課題を解決するための手段】
【００１０】
当該目的を達成するため、本考案のストーマ袋用カバーの生地は主生地層と遮音層が設けられていることからなる。
さらに、本考案のストーマ袋用カバーは、
主生地層と遮音層が設けられた生地により構成されており、
ストーマ袋用カバーの第１の面（正面）に設けられた開口が、ストーマ袋用カバー側面の少なくとも一方側に至るまで延長し、当該ストーマ袋用カバー側面が、延長された開口と接する部分から一部開閉自在であることからなる。  
【００１１】
また、ストーマ袋用カバーの生地の遮音性能が、周波数１０００Ｈｚで透過損失４ｄｂ以上であることが好適である。
また、前記一部とは、５ｃｍ以内であることが好適である。
また、ストーマ袋用カバーの生地の厚さが、１ｍｍ以下、さらに好ましくは０．５ｍｍであることが好適である。
また、ストーマ袋用カバーの主生地層がポリエステルであり、遮音層がアクリル樹脂層であることが好適である。
また、ストーマ袋用カバーの生地が、カーテン生地であることが好適である。
また、ストーマ袋用カバーの第２の面に、ジッパー又は面ファスナーによる開閉可能部が設けられていることが好適である。
【００１２】
本考案者は、排泄物やガスの排出音に関して、高周波数の音の方がより遠くに伝わり、かつ耳の感覚に敏感に反応することに着目した。すなわち、他者に聞こえるか否かという観点からすれば、ストーマ袋を覆い、高周波数の音をより効率的に遮断することができれば、他者に排泄音は聞こえにくくなる発想した。そして、高周波の音をより確実に遮音し、なおかつ外観の保持と使いやすさを失わないストーマ袋のカバーを提供することを可能にしたものである。
【００１３】
そこで、本考案のストーマ袋用カバーは、主生地層（基布）に遮音層が設けられた生地、すなわち遮音コーティングされた生地により構成されている。主生地層は、例えばポリエステルなどの化学繊維、不織布、麻、布地など、公知の素材を利用可能であり、遮音コーティングは、例えばアクリル又はポリウレタンコーティングなど、公知の遮音コーティング手段を利用可能である。主生地層や遮音層は本考案の目的を達する限り何層に渡っても良く、消臭機能・抗菌機能など他の機能を有していても良い。
【００１４】
そして、そのような生地としては、建築資材として使用されている遮音シートも利用可能であるが、遮音コーティングが施されたカーテン生地を利用することが特に好適である。例えば、特開２００５−６８５８６に記載されているようなカーテン生地を挙げることが可能である。このような公知又は市販のカーテン生地であれば、改めて遮音コーティングを施した生地を独自に製造する必要が無く、より安価に製造することが可能であり、場合によっては洗濯も可能である。なおかつ、外観上もストーマ袋の中身を隠し、肌感や付け心地の良いカバーを製造することが可能である。
【００１５】
遮音性能としては、周波数１０００Ｈｚでの透過損失が４ｄｂ以上、さらに望ましくは８ｄｂであることが好適である。遮音性能は高ければ高い程良いが、あまり高すぎると、生地が厚すぎたり重すぎて、ストーマ袋がストーマからずれてしまったり、違和感やかさばりを生じる原因となってしまうため、生地の厚さは１ｍｍ以下、特には０．５ｍｍ以下であることが好適である。
【００１６】
また、単に遮音層が設けられた生地を使用するというだけでは不十分な場合がある。遮音性能を確実に実効あるものにするためには、密閉性を向上することが必要であるからである。その一方で、カバーの密閉性をあまり高めてしまうと、従来のストーマ袋用カバーと同じ欠点を有することになる。すなわち、ストーマ袋を体につけた状態で、ストーマ袋及び面板を小さく折り畳んだり、小さく丸めたりしなければストーマ袋を装着することが出来ず、装着の際に手間がかかり、またストーマ袋を傷つける恐れもあるなど、大変不便になってしまう。
【００１７】
そこで、カバーの構成としては、ストーマ袋用カバーの第１の面（正面）に設けられた開口が、ストーマ袋用カバー側面の一方側に至るまで延長し、当該ストーマ袋用カバー側面が、延長された開口と接する部分から一部開閉自在であることからなるものである。そして、ストーマ袋用カバー側面のうち、延長された開口と接する部分から一部開閉自在となっている。すなわち、側面から開口へ向かってカバーを開いて、ストーマ袋を装着できるようになっている。この構造により、使用者は、ストーマ袋を体に装着した状態で、ストーマ袋用カバーを側面から開いて、側面側からそのまま滑らせるようにして、ストーマ袋の形状を変化させることなく、容易にストーマ袋用カバーを装着することが出来る。その一方で、開口は装着したとき体側に位置しストーマ袋を通しており、カバー側面は基本的に閉じているため、密閉性が高く、遮音性能を損なわない。したがって、遮音性能と、着脱の容易さを同時に実現することが可能である。
【００１８】
なお、開閉自在とする手段は、面ファスナーやジッパーなど、密閉性の高い手段を製造費用に合わせて適宜選択すればよい。また、密閉性を高めるために、延長された開口を構成する片側（例えば下側）の生地がもう片側（例えば上側）の生地に被さっているように構成して、外観上は開口が略円形に見えるような構造としても良い。また、開口の側面まで延長される部分は両側面に向けて設けられても良い。また、密閉性を高めるという観点から、一部開閉可能な側面は、5cm以内に納めることが好適である。
【００１９】
また、ストーマ袋用カバーの第２の面（裏面）に、ジッパー又は面ファスナーによる開閉可能部を設けることで、ストーマ袋及びカバーを装着したまま、ジッパーを空けてストーマ袋を出すことが可能である。この構成によれば、カバーを装着したまま、排泄物をストーマ袋から排出するときの手間を減らすのに役立ち、かつ密閉性の損失が殆どない。
【考案の効果】
【００２０】
本考案の以上の構成により、本考案のストーマ袋用カバーの使用者は、他者に聞こえる排泄物やガスの排出音を低減することが出来る。さらには、かつストーマ袋を体に装着した状態で、ストーマ袋用カバーを側面から開いて、側面側からそのまま滑らせるようにして、ストーマ袋の形状を変化させることなく、容易にストーマ袋用カバーを装着することが出来る。また、同様の方法で、例えストーマ袋に排泄物等が入っていても、容易に脱着をすることが可能である。
【図面の簡単な説明】
【００２１】
【図１】ストーマ袋を示す図である。
【図２】本考案のストーマ袋用カバーを正面から見た図である。
【図３】本考案のストーマ袋用カバーを背面から見た図である。
【図４】本考案のストーマ袋用カバーを側面から開いた状態で、正面から見た図である。
【考案を実施するための形態】
【００２２】
本考案の実施の形態の一例を図面にしたがって説明する。
【００２３】
図１は、ストーマ袋１を示す図である。ストーマ袋１は、排泄物を入れるための袋２と、面板３から構成されている。この面板３が袋２と一体となっているワンピース型と、面板３が袋２に対し着脱可能なツーピース型の２種類が市販されている。本考案のストーマ袋用カバー４（図２，３参照）は、いずれの型についても使用可能である。
【００２４】
図２は、本考案のストーマ袋用カバー４を開口５を有する面（第１の面）から見た正面図である。ストーマ袋用カバー４は、山田リビング株式会社から販売されている商品番号５１４０２２のカーテンを使用した。主生地層はポリエステルであり、裏側の遮音層はアクリルコーティングにより形成されている。
ストーマ袋用カバーの正面に設けられた開口５は、ストーマ袋における袋と面板の間に挟まれる略円形状をした中央部分６と、ストーマ袋用カバー側面８に至るまで延長している延長部分７によって構成されている。
ストーマ袋用カバー側面８のうち、延長部分７と接する部分から下側に5cmほど、面ファスナーを利用することで開閉自在となっている。
【００２５】
図３は、本考案のストーマ袋用カバー４を開口５を有さない面（第２の面）から見た背面図である。図示していないが、こちらの面にジッパーを設ければ、ストーマ袋１及びストーマ袋用カバー４を装着したまま、ジッパーを空けてストーマ袋１を出すことが可能である。
【００２６】
図４は、本考案のストーマ袋用カバーを側面から開いた状態で、正面から見た図である。ストーマ袋用カバー４のストーマ袋用カバー側面８は、一対の面ファスナー９、９’で開閉自在とされている。このように、ストーマ袋用カバー側面８は延長部分７と接する部分から、開くことができる。したがって、着脱を容易に行うことができる。
【００２７】
遮音効果の実験
上記実施例に記載のカバーについて、遮音効果の有無について実験した。
実験方法
録音機にスピーカーを接続して、ストーマ袋内にスピーカーを入れ、同じ音を出して、１m離れて音の大きさを計測器にて測定した。
録音機  ：  オリンパス  Voice-Trek  V-65
スピーカー  ：JVC  portable speaker  SP-A1M
計測器  ：  SMART  SENSOR  AR814
実験結果
ストーマ袋用カバー未装着のものと、他者が従来より市販している遮音層が設けられていないストーマ袋用カバー２種類と、本考案品とを比較した。本考案については、上記実施例に記載のもの（本考案１）と、裏面にジッパー（本考案２）又は面ファスナー（本考案３）を設けたものを計測した。
【００２８】
ストーマ袋用カバー未装着での計測値を１００としたときの値を下記表に示した。
0003173024.tif 000003
【００２９】
結果
以上の結果から、本考案のストーマ袋用カバーを装着することにより、未装着の場合に比べ高い遮音効果（本考案１ではおよそ１３％）があることが確認され、実際に耳で聞いても明らかに聞き取れる音が小さくなっていた。市販のカバーでは、遮音率は４％以下だが、本考案２と３はその倍以上、本考案１では３倍以上の遮音率を有している。本考案１が本考案２及び３よりも遮音率が高い理由は、密閉率の差（裏面にジッパーや面ファスナーがあることで、本考案１よりも密閉率が下がる）であると推測される。いずれにしても、従来のストーマ袋用カバーにはない遮音性能を有していることが確認された。
【符号の説明】
【００３０】
１        ストーマ袋
２        袋
３        面板
４        ストーマ袋用カバー
５        開口
６        中央部分
７        延長部分
８        カバー側面
９、９’  面ファスナー
【図１】
0003173024.tif 000004
【図２】
0003173024.tif 000005
【図３】
0003173024.tif 000006
【図４】
0003173024.tif 000007